(57)【特許請求の範囲】
【請求項１】
洗浄スプレーされた水で集塵電極面の洗浄を行う湿式電気集塵器において、前記集塵電極の上端を支持する集塵電極固定金具の前記水が吹き付けられる側面に、スプレー水滴を集塵電極面に流す手段を設け、当該手段は集塵電極固定金具から集塵電極面に至る傾斜面を有して水滴を表面に沿って流すようにしたことを特徴とする湿式電気集塵器。
【請求項２】
前記スプレー水滴を集塵電極面に流す手段は集塵電極面の幅を有する金属板からなることを特徴とする請求項１記載の湿式電気集塵器。
【請求項３】
洗浄スプレーされた水で集塵電極面の洗浄を行う湿式電気集塵器において、スプレーノズル室のノズル間に区画板を設置し、集塵電極固定金具から集塵電極面に至る傾斜面を有しスプレー水滴を集塵電極面に流す手段を設けたことを特徴とする湿式電気集塵器。
【請求項４】
洗浄スプレーされた水で集塵電極面の洗浄を行う湿式電気集塵器において、前記集塵電極の上端の集塵電極固定金具に吹き付けられたスプレー水滴を集塵電極面に水膜を作って流す傾斜面を有する金属板を設けるとともに、スプレーノズル室のノズル間に区画板を設置したことを特徴とする湿式電気集塵器。
【請求項５】
前記区画板が電極下端近傍に設置されていることを特徴とする請求項３〜４のいずれかに記載された湿式電気集塵器。
【発明の詳細な説明】
【０００１】
【発明の属する技術分野】
本発明はノズルより洗浄スプレーされた水で集塵電極面の洗浄を行う湿式電気集塵器に関し、特に、洗浄スプレーの水滴が集塵電極固定金具より落下することによる火花の頻発を抑えるとともに、処理ガスの高流速時に於けるミスト飛散を低減する構造を有する湿式電気集塵器に関する。
【０００２】
【従来の技術】
従来の湿式電気集塵器は、図１２に示すように集塵電極１を集塵電極固定金具２により垂直に固定され、その集塵電極１間に放電電極３を碍子室４内の支持碍子５より垂直に下ろして配置され、集塵空間を形成している。集塵電極１は薄板１〜２ｍｍ程度の厚さで垂直方向の剛性を持たせる為、集塵電極端部５は図１３の丸形（ａ）、四角形（ｂ）、三角形（ｃ）などに加工されている。集塵電極１は集塵電極固定金具２を両側に付けボルト６、ナット６Ａで締め付け垂直に固定される。
集塵空間の上方にはスプレーノズル室７が設けられ、その室内にノズル８を取り付けたヘッダ部が配置されている。ノズル８から洗浄スプレー８Ａされた水は集塵電極１面に水膜８Ｂを形成しながら下方に流れホッパー９に落下し排出装置１０により排出される。
放電電極３に負の直流高電圧を印加すると集塵空間を通って放電電極３から集塵電極１（正の接地極）に向かって負イオン電流が流れ（コロナ放電）始める。処理ガスに含んだダスト及びミスト（粒子）を導入すると負イオンにより荷電され、電界により集塵電極１面に吸引された粒子は水膜と共に下方に洗い流される。水膜が形成されない場合、集塵電極に捕集したダストが堆積するため、高電圧極と接地極の間隔が狭くなりスパークを頻発しダスト捕集性能の低下を引き起こす。
【０００３】
【発明が解決しようとする課題】
しかし、従来の湿式電気集塵器は洗浄スプレーによる集塵電極及び集塵電極固定金具の面に水膜を形成する場合、図１４に示すように集塵電極固定金具２の下部より洗浄スプレーの水滴８Ｃの落下による火花の発生が頻発するため、十分な直流高電圧が印加できない。
また処理ガスを高流速にすると、図１５に示すようにノズルから洗浄スプレーした水がスプレーノズル室７への処理ガスの流れ（バイパスフロー）によって上方に飛散（ミスト飛散）し、集塵電極１の面に到着せず、集塵電極に水膜を形成できなくなり、更には集塵電極の下方の排水空間へ流れ込んで集塵空間をバイパスしてダスト捕集性能を低下させてしまうなどの問題があった。
本発明の目的は、前記従来技術の問題を解消し、ダスト捕集性能を向上させた湿式電気集塵装置を提供することにある。
また本発明の他の目的は、電極への高電圧の印加を可能にした湿式電気集塵器に於ける集塵電極面の水膜形成装置を提供することにある。
更に本発明の他の目的は、ガス流速の高流速時にスプレーノズル室や排水空間に処理ガスがバイパスするのを抑えかつ集塵電極面に十分な水膜形成を可能にした湿式電気集塵器を提供することにある。
【０００４】
【課題を解決するための手段】
上記の目的を達成するため、請求項１の発明は洗浄スプレーされた水で集塵電極面の洗浄を行う湿式電気集塵器において、前記集塵電極の上端を支持する集塵電極固定金具の前記水が吹き付けられる側面に、スプレー水滴を集塵電極面に流す手段を設け、当該手段は集塵電極固定金具から集塵電極面に至る傾斜面を有して水滴を表面に沿って流すようにした構成にある。また請求項２の発明は、請求項１の発明において、前記スプレー水滴を集塵電極面に流す手段は集塵電極面の幅を有する金属板とした構成にある。また請求項３の発明は、洗浄スプレーされた水で集塵電極面の洗浄を行う湿式電気集塵器において、スプレーノズル室のノズル間に区画板を設置し、集塵電極固定金具から集塵電極面に至る傾斜面を有しスプレー水滴を集塵電極面に流す手段を設けた構成にある。また請求項４の発明は洗浄スプレーされた水で集塵電極面の洗浄を行う湿式電気集塵器において、前記集塵電極の上端の集塵電極固定金具に吹き付けられたスプレー水滴を集塵電極面に水膜を作って流す傾斜面を有する金属板を設けるとともに、スプレーノズル室のノズル間に区画板を設置した構成にある。更に請求項５の発明は、請求項３又は４の発明において、区画板が電極下端近傍に設置した構成にある。
【０００５】
【発明の作用・効果】
ノズルから洗浄スプレーされた水が集塵電極固定金具の側面に当たって形成されるスプレー水滴を集塵電極面に流す手段によって集塵電極固定金具から落下するのを防ぐことによりスプレー水滴による火花の頻発が抑えられ、高電圧の印加が可能となる為、ダスト捕集性能を向上させることができる。
集塵電極固定金具の上端および／または集塵電極下端近傍に区画板を設置することにより、処理ガスの高流速時にスプレーノズル室や電極下方を通るバイパスフローが抑えられ、スプレーノズル室や電極下方に向かった処理ガスによるミスト飛散を防ぎ、集塵電極面の水膜が確実に形成され、ダスト捕集性能が向上される。
【０００６】
【発明の実施の形態】
本発明の実施形態を図面を参照しながら説明する。図１は本発明の実施例に係る湿式電気集塵器を示す。
放電電極３は碍子室４内の支持碍子５より垂直に吊り下げて配置されている。集塵電極１は放電電極３の両側に一定間隔に配置され、集塵空間を形成している。この集塵空間には処理ガスに含んだダスト及びミスト（粒子）が図中矢印方向から導入される。そして、図示を省略した直流高電圧電源から出力される直流高電圧は支持碍子５を介して放電電極３に印加される。
【０００７】
集塵電極固定金具２の側面には、例えばステンレスで作製された金属板１１が固定されている。ノズル８よりスプレーされた水は集塵電極１及び金属板１１に注がれ、集塵電極面や金属板面に水滴を形成する。金属板１１の水滴は表面に沿って流れ、集塵電極１面に導かれ、集塵電極１面に流れて水膜を形成しながら下方に流れホッパー９に落下した後、排水装置１０より排水される。
【０００８】
図２は金属板の取付け状態を示す。金属板１１は集塵電極１の集塵電極端部５をはさみ集塵電極固定金具２を両側に配置し、金属板１１を内側にしてボルト６、ナット６Ａで固定される。金属板１１は集塵電極１の幅にほぼ同じ幅を有し、集塵電極固定金具２から下方に伸びており、その下縁が集塵電極面に近接して位置されるように折り曲げられている。金属板の折り曲げ角度は、図３に示すように中央部で集塵電極１側へ１４０゜〜１５０゜折り曲げて傾斜面１１Ａを形成し、その下部は集塵電極１にほぼ平行になるよう３０゜〜４０゜にそれぞれ曲げられている。このような構造により、ノズル８から洗浄スプレーされた水滴は金属板の傾斜面１１Ａに沿って集塵電極１の面に流れ水膜を形成する。
このように集塵電極の上端を支持する集塵電極固定金具において、洗浄スプレーされた水が吹き付けられる側面に、スプレー水滴を集塵電極面に流す手段として金属板を設けることにより、集塵電極固定金具からの水滴落下が抑制される為、放電電極に直流高電圧の印加が可能になる。
【０００９】
図４は集塵電極の取付け上面図、図５は集塵電極の取付け正面図、図６は集塵電極部の組立図である。集塵電極１は両側にボルト６を通す管１５を配置し、その両側に集塵電極固定金具２を設け、ボルト６で固定する。このボルト６を利用して、金属板１１を放電電極３側に位置する集塵電極固定金具２に配置する。ボルト６は点線で示すように金属板１１、集塵電極固定金具２のボルト貫通穴２Ａ、管１５及び集塵電極１，管１５、集塵電極固定金具２のボルト貫通穴２Ａを通しナット６Ａで締め付け組み立てる。
【００１０】
図７，図８に本発明の変形例を示す。本例は集塵電極１の両側にブロック１６を配置し、その両側に集塵電極固定金具２を設け、ボルト６、ナット６Ａで締め付け組み立てたことを特徴とするもので、その他の構成については前述の実施例と同様である。ブロック１６は集塵電極１の両側に位置させたとき集塵電極１と平行になる集塵電極固定金具２の取付部を有し、この取付部から下方が集塵電極に当接する面に向かって傾斜した面１６Ａで形成されている。取付部と傾斜面の境には集塵電極固定金具２の板厚にほぼ等しい幅の段部分１６Ａを設け、取付部に集塵電極固定金具２を添えて固定したとき集塵電極固定金具の外側面と傾斜面との間に段差が生じないようになっている。
この変形例によれば、ブロック１６は前述の実施例に於ける集塵電極の押さえ部品としての管１５と水滴を集塵電極に流す部品としての金属板１１を兼ねているので、部品数を減らし、組み立て時間の短縮を図ることができるとともに、前記実施例と同等の効果が得られる。
【００１１】
図９は本発明に係る他の実施形態の湿式電気集塵器の概念図である。本例に示す湿式電気集塵器はスプレーノズル室７のノズル８間に区画板２０を取り付けた構造に特徴を有する。区画板２０は集塵電極固定金具２の上端に配置されており、処理ガスの高流速時にスプレーノズル室７を通るバイパスフローを抑える機能を有する。この区画板２０を設置することによりスプレーノズル室７に向かった処理ガスによるミスト飛散が低減されダスト捕集性能が向上される。
【００１２】
また区画板２０には集塵電極１と放電電極３の間に形成される集塵空間内にわずかに入り込むんだ突出部分２０Ａが設けられている。図１０において、突出部分２０Ａは集塵電極固定金具２の側方に位置し、そこを通る処理ガスを集塵空間に向けることによりミスト飛散を抑えるのに更に有効である。
洗浄スプレー８Ａの下部の処理ガス流速を測定した結果を図１１に示す。ノズル８間に区画板２０を取り付けた場合と区画板無し及びノズルＮｏ．３とＮｏ．４の間に区画板１枚を取り付けた場合である。またスプレー水飛散限界の測定結果から区画板の設置で処理ガス流速を飛散限界流速以下にすることができる。
【００１３】
区画板の実施形態としてはスプレーノズル室７に設置した構成を説明したが、処理ガスが電極下方の排水空間にバイパスするのを抑える為、電極下端近傍に１又は複数の区画板を設置することで、上記バイパスフローを抑えることによりダスト捕集性能を更に向上させることができる。
【図面の簡単な説明】
【図１】本発明に係る湿式電気集塵器の概念図である。
【図２】図１のＩ矢視図である。
【図３】スプレー水滴を集塵電極面に流す手段としての金属板の側面図である。
【図４】集塵電極の取付け上面図である。
【図５】集塵電極の取付け正面図である。
【図６】集塵電極部の組立図である。
【図７】スプレー水滴を集塵電極面に流す手段の他の実施例の側面図である。
【図８】図７の他の実施例の斜視図である。
【図９】本発明に係る湿式電気集塵器の他の実施形態の概念図である。
【図１０】図９のＩＩ矢視図である。
【図１１】スプレーノズル室下部のガス流速と区画板の関係を示す図である。
【図１２】従来の湿式電気集塵器の概念図である。
【図１３】集塵電極端部の構成図である。
【図１４】集塵電極固定金具からスプレー水滴が落下したときの火花発生の説明図である。
【図１５】ガス流速の高流速時に於けるミスト飛散の説明図である。
【符号の説明】
１…集塵電極、２…集塵電極固定金具、３…放電電極、４…碍子室、７…スプレーノズル室、８…ノズル、９…ホッパー、１０…排水装置、１１…金属板、１６…ブロック
【図１】
0003617305.tif 000002
【図２】
0003617305.tif 000003
【図３】
0003617305.tif 000004
【図４】
0003617305.tif 000005
【図５】
0003617305.tif 000006
【図６】
0003617305.tif 000007
【図７】
0003617305.tif 000008
【図８】
0003617305.tif 000009
【図９】
0003617305.tif 000010
【図１０】
0003617305.tif 000011
【図１１】
0003617305.tif 000012
【図１２】
0003617305.tif 000013
【図１３】
0003617305.tif 000014
【図１４】
0003617305.tif 000015
【図１５】
0003617305.tif 000016